(57)【要約】      （修正有）【課題】冷陰極管（ＣＣＦＬ）を発光源とし、各種形態の照明器具に使用可能で、且つ省エネで目に優しい、冷陰極管卓上照明の構造を提供する。【解決手段】冷陰極管卓上照明の台座１０には、縦型形態且つ内部に電源電気設備を有した基礎台２０が固定される。基礎台頂部には、中空のアーム３０が連結される。アームの他端には、回転可能なジョイント３１、或いは非回転式のジョイントによって、ランプ台座４０が枢設される。ランプ台座の光源スペース４０１内には、二つの電極接続口４１（或いは、差込まれる冷陰極管のランプヘッドの数に対応して複数個）が設けられるとともに、冷陰極管の管体を係止するための複数の留め爪４２が設けられる。また、冷陰極管が必要とする電気部品６０は、ランプ台座の後方内、或いは基礎台内に設けられる。ランプ台座底面には、保護と光の均一な拡散のため、蓋板７０が被せられる。【選択図】図１
0003197269.tif 000002
【実用新案登録請求の範囲】
【請求項１】
台座と、基礎台と、アームと、ランプ台座と、冷陰極管（ＣＣＦＬ）とからなる冷陰極管卓上照明の構造であって、
前記台座は、比較的大きな面積を有した平板形態をなし、
前記基礎台は、縦型形態をなすとともに前記台座に固定され、且つ前記基礎台内部には照明器具の基本的な電源電気設備が設けられ、
前記アームは、中空の管体をなすとともに、上下両端にはそれぞれ活動ジョイントが設けられ、且つ前記活動ジョイントは、それぞれ前記基礎台頂部、及び前記ランプ台座後端に枢設され、
前記ランプ台座は、底部が開口して光源スペースを形成するとともに長方形の箱状を呈し、且つ前記光源スペースの末端両側の位置には、いずれも電極接続口が設けられ、前記光源スペース内には、複数の留め爪が設けられ、
更に、前記ランプ台座の光源スペース内には、冷陰極管（ＣＣＦＬ）が設けられ、
前記ランプ台座末端のスペース内には、冷陰極管（ＣＣＦＬ）が必要とする電気部品が設けられ、
前記冷陰極管（ＣＣＦＬ）両末端のランプヘッドは、前記ランプ台座の光源スペースにおける電極接続口と係止され、
複数の前記留め爪は、それぞれ前記冷陰極管（ＣＣＦＬ）をしっかりと係止し、
前記電気部品と前記電極接続口は、電気的に接続され、
前記アーム内には、前記電気部品と前記基礎台内の電源電気設備を電気的に接続するための導線が設けられ、
前記ランプ台座底部の開口には、透光の蓋板が被せられることを特徴とする、冷陰極管卓上照明の構造。
【請求項２】
前記冷陰極管（ＣＣＦＬ）が必要とする前記電気部品は、多過ぎたり大き過ぎたりした時、前記基礎台内に分けて設けられることを特徴とする、請求項１に記載の冷陰極管卓上照明の構造。
【請求項３】
前記ランプ台座の末端底部には、前記アームの活動ジョイントを枢設するための枢設ジョイントが設けられることを特徴とする、請求項１に記載の冷陰極管卓上照明の構造。
【考案の詳細な説明】
【技術分野】
【０００１】
本考案は、照明器具の構造に関し、特に冷陰極管（ＣＣＦＬ）を光源として用いる、冷陰極管卓上照明の構造に関する。
【背景技術】
【０００２】
現在の社会において、エネルギーコストは日々上昇している。これに伴い、日常で使用する電気代も年々高くなっているため、省エネ電器製品が消費者から支持されている。照明器具もその例外ではなく、現在の市場において、ＬＥＤと省エネ蛍光灯を光源とする照明器具のほか、冷陰極管を光源とする照明器具も多くの消費者に使用されている。この種の冷陰極管（ＣＣＦＬ）は、省エネ且つ目に優しいという長所を備えているだけでなく、極細の管型照明は生じる熱エネルギーが比較的低いため、ＬＥＤと省エネ蛍光灯の照明器具よりも使用寿命が長くて製造コストも低く、優れた製品であると言える。しかし残念なことに、現在の市場には、冷陰極管（ＣＣＦＬ）を接続して使用できる卓上型照明器具が存在していない。
【考案の概要】
【考案が解決しようとする課題】
【０００３】
そこで本考案は、精緻な構造により、冷陰極管（ＣＣＦＬ）を接続して使用できないという現在の卓上照明における問題を解決するとともに、この種の卓上照明器具が有する省エネと目を守る効果を向上させて、実用性を高めることが可能な、冷陰極管卓上照明の構造を提供することを目的とする。
【課題を解決するための手段】
【０００４】
上述の目的を達成するために、本考案の冷陰極管卓上照明の構造は、量産型、及び非量産型の卓上照明に対して改良を加えるとともに、冷陰極管（ＣＣＦＬ）を発光源とすることにより、極めて省エネで目に優しい卓上照明器具をなす。また本考案は、台座と、基礎台と、アームと、ランプ台座とからなる。台座には、縦型形態且つ内部に電源電気設備を有する基礎台が固定される。基礎台頂部には、中空のアームが連結される（或いは、照明器具の特殊な形状に対応するため、別の構造や形状によってアームを代替することも可能である）。アーム内部には、電源線が両端をつないで通っており、これにより必要な電源と駆動信号を提供する。またアーム末端には、回転可能なジョイント、或いは非回転式のジョイントによって、ランプ台座が枢設される。本考案の特長は以下の通りである。ランプ台座の光源スペース内には、二つの電極接続口が設けられる（或いは、差込まれる冷陰極管（ＣＣＦＬ）のランプヘッドの数に対応して複数個が設けられる）とともに、冷陰極管（ＣＣＦＬ）の管体を係止するための複数の留め爪が設けられる。また、冷陰極管（ＣＣＦＬ）が必要とする電気部品は、ランプ台座の後方内、或いは基礎台内に設けられる（また或いは、照明器具の特殊な形状に対応するためにスペースが不足した場合は、電気部品を二段、或いは多段式にしてランプ台座の後方内と基礎台内に分けて設けるとともに、ケーブルによって接続することも可能である）。この他、ランプ台座底面には、ランプの保護と光の均一な拡散のため、蓋板が被せられる。
【考案の効果】
【０００５】
以上の構造によってなる冷陰極管（ＣＣＦＬ）を発光源とする卓上照明は、全世界における各種の異なる照明器具に柔軟に対応できる。
【図面の簡単な説明】
【０００６】
【図１】本考案の斜視図である。
【図２】本考案のランプ台座の構造を示した配置図１である。
【図３】本考案のランプ台座の構造を示した配置図２である。
【図４】本考案のランプ台座の構造の実施例を示した概略図１である。
【図５】本考案のランプ台座の構造の実施例を示した概略図２である。
【考案を実施するための形態】
【０００７】
図１〜図３を参照する。本考案の冷陰極管卓上照明の構造は、台座１０と、基礎台２０と、アーム３０と、ランプ台座４０と、冷陰極管（ＣＣＦＬ）５０とからなる。台座１０は、比較的大きな面積を有した平板形態をなすとともに、台座１０後方中央には、基礎台２０が固定される。基礎台２０は、縦型形態をなすとともに、内部には照明器具の基本的な電源電気設備が設けられる。アーム３０は、中空の管体をなすとともに、上下両端にはそれぞれ活動ジョイント３１・３２が設けられ、且つ活動ジョイント３２によって基礎台２０頂部に枢設され、活動ジョイント３１によってランプ台座４０後端に枢設される。ランプ台座４０は、底部が開口して光源スペース４０１を形成するとともに長方形の箱状を呈し、且つランプ台座４０末端底部には、枢設ジョイント４３が設けられてアーム３０の活動ジョイント３１が枢設される。また、光源スペース４０１末端両側の位置には、いずれも電極接続口４１が設けられ、光源スペース４０１内には、複数の留め爪４２が設けられる。本考案は、以下の点が特徴的である。ランプ台座４０の光源スペース４０１内には、冷陰極管（ＣＣＦＬ）５０が設けられ、ランプ台座４０末端の枢設ジョイント４３上方におけるスペースには、冷陰極管（ＣＣＦＬ）５０が必要とする電気部品６０が設けられる。冷陰極管（ＣＣＦＬ）５０両末端のランプヘッド５１は、ランプ台座４０の電極接続口４１に係止される。ランプ台座４０の光源スペース４０１内における複数の留め爪４２は、それぞれ冷陰極管（ＣＣＦＬ）５０の管体をしっかりと係止する。ランプ台座４０末端内の電気部品６０と光源スペース４０１内の電極接続口４１は、電気的に接続される。アーム３０内には、導線６１が設けられることにより、電気部品６０と基礎台２０内の電源電気設備が電気的に接続される。尚、冷陰極管（ＣＣＦＬ）５０が必要とする電気部品６０が多過ぎたり大き過ぎたりした場合には、基礎台２０内に分けて設けられることも可能である。この他、ランプ台座４０底部の開口には、透光の蓋板７０が被せられる。以上の構造により、冷陰極管（ＣＣＦＬ）を照明光源とする卓上照明器具が形成される。
【０００８】
図４、及び図５を参照する。本考案のランプ台座４０内に設けられた冷陰極管（ＣＣＦＬ）５０は、平面的に曲げられた形態の配置（図２参照）のほか、上下に曲げられた立体的な配置をなすことも可能である。
【符号の説明】
【０００９】
１０   台座
２０   基礎台
３０   アーム
３１   回転ジョイント
３２   回転ジョイント
４０   ランプ台座
４１   電極接続口
４２   留め爪
４３   枢設ジョイント
４０１ 光源スペース
５０   冷陰極管
５１   ランプヘッド
６０   電気部品
６１   導線
７０   蓋板
【図１】
0003197269.tif 000003
【図２】
0003197269.tif 000004
【図３】
0003197269.tif 000005
【図４】
0003197269.tif 000006
【図５】
0003197269.tif 000007